(57)【要約】　　　（修正有）【課題】ホイールの回転で回転検知を、ホイールの傾きでタクトスイッチをＯＮ・ＯＦＦできて、ホイールを回転操作及び傾動操作することでホイールの操作を増せるコントローラのスイッチ機構を提供する。【解決手段】コントローラ操作部分に配置し、基板上から電話機本体開口部に向け立設した保持板体２、３の開口溝２ａ、３ａ内に配設したスプリング４、５上に長軸体６を開口溝２ａ、３ａ間に掛け渡し、長軸体６に周方向に貫通小孔７ａを穿設したホイール７を取り付け長軸体６のホイール７に二股状腕部８を取り付け二股状腕部８の水平板９を基板上の山状突出部１０に載置し山状突出部１０の傾斜面１０ａ、１０ｂに長軸体６の傾きで二股状腕部８と水平板９を傾けてＯＮ・ＯＦＦするタクトスイッチ１１、１２を配置し二股状腕部８にホイール７の回転動作と回転方向を検出する光検出器１３を取付けている。【選択図】　　　図１
2004039590.tif 000002
【特許請求の範囲】
【請求項１】
携帯電話機の電話機本体におけるコントローラ操作部分に配置され、電話機本体内の基板上から電話機本体の表面に設けられた開口部に向けて立設された一対の保持板体の上端近傍の開口溝内に上向きに付勢されたスプリングが配設されて、このスプリングの上端に水平向きに長軸体が前記一対の保持板体の開口溝間に掛け渡されていて、この長軸体の軸方向ほぼ中央部に、外周端近傍箇所に周方向に複数の貫通小孔が穿設されたホイールが回転可能に且つ縦向きに取り付けられているとともに、この長軸体における前記ホイールの両側に二股状腕部の上端部が取り付けられ、この二股状腕部の下側根元部分に一体に設けられた水平板が、前記基板上に形成された山状突出部の上端に載置されており、この山状突出部の両側の傾斜面には、前記長軸体が傾いたときに前記二股状腕部の傾きに連動する前記水平板の傾きによってＯＮ・ＯＦＦされる一対のタクトスイッチが配置され、前記二股状腕部における前記ホイールの貫通小孔に対向する箇所の両側に、前記ホイールの回転動作とその回転方向を検出するための一対の光検出器が取付けられていることを特徴とするコントローラのスイッチ機構。
【請求項２】
電子機器のコントローラ本体のコントローラ操作部分に配置され、コントローラ本体内の基板上からコントローラ本体の表面に設けられた開口部に向けて立設された一対の保持板体の上端近傍の開口溝内に上向きに付勢された弾性体が配設されて、この弾性体の上端に水平向きに長軸体が前記一対の保持板体の開口溝間に掛け渡されていて、この長軸体の軸方向ほぼ中央部に、周方向に複数の貫通小孔が穿設されたホイールが回転可能に且つ縦向きに取り付けられているとともに、この長軸体における前記ホイールの両側に二股状腕部の上端部が取り付けられ、この二股状腕部の下側根元部分に一体に設けられた水平板が、前記基板上に形成された山状突出部の上端に載置されており、この山状突出部の両側の傾斜面には、前記長軸体が傾いたときに前記二股状腕部の傾きに連動する前記水平板の傾きによってＯＮ・ＯＦＦされる一対のタクトスイッチが配置され、前記二股状腕部における前記ホイールの貫通小孔に対向する箇所の両側に、前記ホイールの回転動作とその回転方向を検出するための一対の光検出器が取付けられていることを特徴とするコントローラのスイッチ機構。
【請求項３】
前記一対の光検出器の取付け間隔は、前記ホイールの回転方向を検出するために、前記ホイールの貫通小孔間の間隔に等しくなく且つ前記ホイールの貫通小孔間の半分の間隔でないことを特徴とする請求項２に記載のコントローラのスイッチ機構。
【請求項４】
前記二股状腕部には、前記ホイール近傍まで一体的に延びた板状部が設けられていて、この板状部における前記ホイール近傍箇所の両側に、前記ホイールの貫通小孔を検出するための光検出器が取付けられていることを特徴とする請求項２又は３に記載のコントローラのスイッチ機構。
【発明の詳細な説明】
【０００１】
【発明の属する技術分野】
本発明は、主として表示装置の表示されるカーソルの移動を司るコントローラのスイッチ機構の改良に関する。
【０００２】
【従来の技術】
従来のコントローラのスイッチ機構について記載されたものに、例えば、特開２０００−３２５６５８号公報に記載されているゲーム機などに使用するコントローラがある。これは、図６（ａ）（ｂ）（ｃ）に示すように、コントローラ１０２の本体ケース１０９に内蔵された水平基板１１０の上面に４つの駒スイッチ１２０を介して傾動操作駒１１６が上下左右４方向に対し傾動変位可能に設けられている。この傾動操作駒１１６の中央部上下方向にはスリット１１８が形成され、このスリット１１８内に、ベース１２６に回転自在かつ上下変位可能に設けられた回転ダイヤル板１１４が傾動操作駒１１６の変位に干渉しないように収容されている。回転ダイヤル板１１４の上端部はスリット１１８から外側に突出している。この突出した部分を通じて遊戯者が回転ダイヤル板１１４を回転させると、これを回転センサが検出して内部のマイコンに伝達する。また、遊戯者が回転ダイヤル板１１４をスリット１１８奥部に押し込むと、これをダイヤルスイッチが検知してマイコンに伝達するものである。
【０００３】
【発明が解決しようとする課題】
ところが、回転ダイヤル板１１４は、単に回転検知の機能を有するだけで、回転検知と左右検知との両機能を有してなく、左右検知するための傾動操作駒１１６を必要とし、そのために全体の構造が複雑であるという問題があった。
【０００４】
そこで本発明は、上記従来の問題を解消し、ホイールを回転することで回転検知を行えるとともに、同じホイールを傾けることで左右に配置された一対のタクトスイッチをＯＮ・ＯＦＦできて、一つのホイールを回転操作及び傾動操作することでホイールによる操作を増やすことができるコントローラのスイッチ機構を提供することを目的としている。
【０００５】
【課題を解決するための手段】
上記目的を達成するため、本発明によるコントローラのスイッチ機構は、携帯電話機の電話機本体におけるコントローラ操作部分に配置され、電話機本体内の基板上から電話機本体の表面に設けられた開口部に向けて立設された一対の保持板体の上端近傍の開口溝内に上向きに付勢されたスプリングが配設されて、このスプリングの上端に水平向きに長軸体が前記一対の保持板体の開口溝間に掛け渡されていて、この長軸体の軸方向ほぼ中央部に、外周端近傍箇所に周方向に複数の貫通小孔が穿設されたホイールが回転可能に且つ縦向きに取り付けられているとともに、この長軸体における前記ホイールの両側に二股状腕部の上端部が取り付けられ、この二股状腕部の下側根元部分に一体に設けられた水平板が、前記基板上に形成された山状突出部の上端に載置されており、この山状突出部の両側の傾斜面には、前記長軸体が傾いたときに前記二股状腕部の傾きに連動する前記水平板の傾きによってＯＮ・ＯＦＦされる一対のタクトスイッチが配置され、前記二股状腕部における前記ホイールの貫通小孔に対向する箇所の両側に、前記ホイールの回転動作とその回転方向を検出するための一対の光検出器が取付けられていることを特徴とする。
【０００６】
また本発明によるコントローラのスイッチ機構は、電子機器のコントローラ本体のコントローラ操作部分に配置され、コントローラ本体内の基板上からコントローラ本体の表面に設けられた開口部に向けて立設された一対の保持板体の上端近傍の開口溝内に上向きに付勢された弾性体が配設されて、この弾性体の上端に水平向きに長軸体が前記一対の保持板体の開口溝間に掛け渡されていて、この長軸体の軸方向ほぼ中央部に、周方向に複数の貫通小孔が穿設されたホイールが回転可能に且つ縦向きに取り付けられているとともに、この長軸体における前記ホイールの両側に二股状腕部の上端部が取り付けられ、この二股状腕部の下側根元部分に一体に設けられた水平板が、前記基板上に形成された山状突出部の上端に載置されており、この山状突出部の両側の傾斜面には、前記長軸体が傾いたときに前記二股状腕部の傾きに連動する前記水平板の傾きによってＯＮ・ＯＦＦされる一対のタクトスイッチが配置され、前記二股状腕部における前記ホイールの貫通小孔に対向する箇所の両側に、前記ホイールの回転動作とその回転方向を検出するための一対の光検出器が取付けられていることを特徴とする。
【０００７】
更に、前記一対の光検出器の取付け間隔は、前記ホイールの回転方向を検出するために、前記ホイールの貫通小孔間の間隔に等しくなく且つ前記ホイールの貫通小孔間の半分の間隔でないことが好ましい。
【０００８】
また、前記二股状腕部には、前記ホイール近傍まで一体的に延びた板状部が設けられていて、この板状部における前記ホイール近傍箇所の両側に、前記ホイールの貫通小孔を検出するための光検出器が取付けられていることが好ましい。
【０００９】
【発明の実施の形態】
以下、本発明に係るコントローラのスイッチ機構の実施形態について、図を参照しつつ説明する。図１は本発明の一実施形態であるコントローラのスイッチ機構を示し、（ａ）はその概略斜視図、（ｂ）はそのホイールの保持状態を示す概略側面図である。図２は同スイッチ機構を備えた携帯電話機の斜視図、図３は同スイッチ機構における光検出器によるホイールの周囲の貫通小孔の検出状態を示し、（ａ）はそのホイールの貫通小孔部分を展開し、光検出器による貫通小孔の検出間隔を示す説明図、（ｂ）はホイールを一方側に回転したときの光検出器による貫通小孔の検出状態を示す説明図、（ｃ）はホイールを他方側に回転したときの光検出器による貫通小孔の検出状態を示す説明図である。図４は同スイッチ機構におけるホイールの貫通小孔と光検出器の配置状態を示す要部の拡大側面図、図５は別例のコントローラのスイッチ機構を示す概略正面図である。
【００１０】
本実施形態のコントローラのスイッチ機構は、図１（ａ）（ｂ）及び図２に示すように、表示面１ａを有する上側電話機本体１Ａと操作面１ｂを有する下側電話機本体１Ｂからなる開閉式の携帯電話機１の下側電話機本体１Ｂにおけるコントローラ操作部分１ｃに配置されている。そして、下側電話機本体１Ｂ内の基板（図示略）上から下側電話機本体１Ｂの表面に設けられた開口部１ｄに向けて立設された一対の保持板体２、３の上端近傍の開口溝２ａ、３ａ内に上向きに付勢されたスプリング４、５が配設されて、このスプリング４、５の上端に水平向きに長軸体６が一対の保持板体２、３の開口溝２ａ、３ａ間に掛け渡されている。更に、長軸体６の軸方向ほぼ中央部に、外周端近傍箇所に周方向に複数の貫通小孔７ａが穿設されたホイール７が回転可能に且つ縦向きに取り付けられている。
【００１１】
また、長軸体６におけるホイール７の両側に両片８ａ、８ｂが略く字形の二股状腕部８の上端部が取り付けられ、この二股状腕部８の下側根元部分に一体に設けられた水平板９が、基板上に形成された山状突出部１０の上端に載置されている。更に、この山状突出部の両側の傾斜面１０ａ、１０ｂには、長軸体６がホイールを傾動操作して傾いたときに二股状腕部８の傾きに連動する水平板９の傾きによってＯＮ・ＯＦＦされる一対のタクトスイッチ１１、１２が配置されている。更に、二股状腕部８におけるホイール７の貫通小孔７ａに対向する箇所の両側に、ホイール７の回転動作とその回転方向を検出するための一対の光検出器１３、１３がそれぞれ取付けられている。尚、各光検出器１３は、一般に用いられるエンコーダ等のセンサであって、発光部と受光部からなる。
【００１２】
また、図３（ａ）及び図４に示すように、二股状腕部８の両片８ａ、８ｂに取付けられたそれぞれ一対の光検出器１３、１３の取付け間隔ｄは、ホイール７の貫通小孔７ａ、７ａの間隔Ｄに等しくなく且つホイール７の貫通小孔７ａ、７ａの半分の間隔Ｄ／２に等しくならないように取付けられている。
【００１３】
そして、上記した構成により、ホイール７を図４にて時計方向に回転操作すると、二股状腕部８の両片８ａ、８ｂに取付けられた一対の光検出器１３、１３のうち、左側の光検出器１３がホイール７の貫通小孔７ａを先ず検出して図３（ｂ）に示すａのグラフの線上に示すように先に凸の検出信号が出され、次に右側の光検出器１３がホイール７の貫通小孔７ａを検出して図３（ｃ）に示すｂのグラフの線上に示すようにすぐに凸の検出信号が出されて、ホイール７が時計方向に回転していることが検出される。
【００１４】
また、ホイール７を反時計方向に回転操作すると、二股状腕部８の両片８ａ、８ｂに取付けられた一対の光検出器１３、１３のうち、右側の光検出器１３がホイール７の貫通小孔７ａを先ず検出して図３（ｃ）に示すｂのグラフの線上に示すように先に凸の検出信号が出され、次に右側の光検出器１３がホイール７の貫通小孔７ａを検出して図３（ｃ）に示すａのグラフの線上に示すようにすぐに凸の検出信号が出されて、ホイール７が反時計方向に回転していることが検出される。ここで、一対の光検出器１３、１３の取付け間隔ｄがホイール７の貫通小孔Ｄの間隔と等しかったり、Ｄ／２の間隔であると、図３の（ｂ）（ｃ）に示すグラフのａ、ｂの線上の凸の検出信号の間隔がａ、ｂとも同じ間隔となって、ホイール７が時計方向に回転しているか逆の反時計方向に回転しているかが判断できないことととなるので、上記したように、一対の光検出器１３、１３の取付け間隔ｄは、ホイール７の貫通小孔７ａ、７ａの間隔Ｄに等しくなく且つホイール７の貫通小孔７ａ、７ａの半分の間隔Ｄ／２に等しくならないように取付けられている訳である。
【００１５】
従って、本実施形態のコントローラのスイッチ機構によれば、ホイール７を回転することで回転検知を行えるとともに、同じホイール７を傾けることで左右に配置された一対のタクトスイッチ１１、１２をＯＮ・ＯＦＦでき、一つのホイール７を回転操作及び傾動操作することでホイール７による操作を増やすことができる。
【００１６】
また、図５に示すスイッチ機構では、二股状腕部８に、ホイール７近傍まで一体的に延びた板状部１４、１４が設けられ、この板状部１４、１４におけるホイール７近傍箇所の両側に、ホイール７の貫通小孔７ａを検出するための一対の光検出器１３、１３が取付けられている。このように、ホイール７と光検出器１３、１３との間隔を小さくすることによって、光検出器１３、１３でホイール７の貫通小孔７ａを正確に検出できる。
【００１７】
尚、上記した実施形態では、携帯電話機におけるタクトスイッチのスイッチ機構について説明したが、本発明は、これに限らず、ゲーム機やパソコンのマウス等の他の電子機器のタクトスイッチのスイッチ機構にも適用できることは勿論である。また、タクトスイッチ１１、１２の代わりに、山状突出部１０の傾斜面１０ａ、１０ｂ上にそれぞれ接点を設けるとともに、これら接点に対向する水平板９にそれぞれ導電ゴムを設けても、傾倒を検知するスイッチ機構を得ることができる。
【００１８】
【発明の効果】
以上説明した通り本発明によれば、携帯電話機の電話機本体におけるコントローラ操作部分に配置され、電話機本体内の基板上から電話機本体の表面に設けられた開口部に向けて立設された一対の保持板体の上端近傍の開口溝内に上向きに付勢されたスプリングが配設されて、このスプリングの上端に水平向きに長軸体が前記一対の保持板体の開口溝間に掛け渡されていて、この長軸体の軸方向ほぼ中央部に、外周端近傍箇所に周方向に複数の貫通小孔が穿設されたホイールが回転可能に且つ縦向きに取り付けられているとともに、この長軸体における前記ホイールの両側に二股状腕部の上端部が取り付けられ、この二股状腕部の下側根元部分に一体に設けられた水平板が、前記基板上に形成された山状突出部の上端に載置されており、この山状突出部の両側の傾斜面には、前記長軸体が傾いたときに前記二股状腕部の傾きに連動する前記水平板の傾きによってＯＮ・ＯＦＦされる一対のタクトスイッチが配置され、前記二股状腕部における前記ホイールの貫通小孔に対向する箇所の両側に、前記ホイールの回転動作とその回転方向を検出するための一対の光検出器が取付けられているので、次の効果を奏する。
【００１９】
即ち、携帯電話機の電話機本体に配設されたホイールを回転することで回転検知を行えるとともに、同じホイールを傾けることで左右に配置された一対のタクトスイッチをＯＮ・ＯＦＦできて、一つのホイールを回転操作及び傾動操作することでホイールによる操作を増やすことができる。
【００２０】
また本発明によれば、電子機器のコントローラ本体のコントローラ操作部分に配置され、コントローラ本体内の基板上からコントローラ本体の表面に設けられた開口部に向けて立設された一対の保持板体の上端近傍の開口溝内に上向きに付勢された弾性体が配設されて、この弾性体の上端に水平向きに長軸体が前記一対の保持板体の開口溝間に掛け渡されていて、この長軸体の軸方向ほぼ中央部に、周方向に複数の貫通小孔が穿設されたホイールが回転可能に且つ縦向きに取り付けられているとともに、この長軸体における前記ホイールの両側に二股状腕部の上端部が取り付けられ、この二股状腕部の下側根元部分に一体に設けられた水平板が、前記基板上に形成された山状突出部の上端に載置されており、この山状突出部の両側の傾斜面には、前記長軸体が傾いたときに前記二股状腕部の傾きに連動する前記水平板の傾きによってＯＮ・ＯＦＦされる一対のタクトスイッチが配置され、前記二股状腕部における前記ホイールの貫通小孔に対向する箇所の両側に、前記ホイールの回転動作とその回転方向を検出するための一対の光検出器が取付けられているので、次の効果を奏する。
【００２１】
即ち、電子機器のコントローラ本体のコントローラ操作部分に配置されたホイールを回転することで回転検知を行えるとともに、同じホイールを傾けることで左右に配置された一対のタクトスイッチをＯＮ・ＯＦＦできて、一つのホイールを回転操作及び傾動操作することでホイールによる操作を増やすことができる。
【００２２】
更に、前記一対の光検出器の取付け間隔は、前記ホイールの回転方向を検出するために、前記ホイールの貫通小孔間の間隔に等しくなく且つ前記ホイールの貫通小孔間の半分の間隔でないと、ホイールの回転方向を正確に検出できる。
【００２３】
また、前記二股状腕部には、前記ホイール近傍まで一体的に延びた板状部が設けられていて、この板状部における前記ホイール近傍箇所の両側に、前記ホイールの貫通小孔を検出するための光検出器が取付けられていると、ホイールと光検出器との間隔を小さくすることができ、これによって、光検出器でホイールの貫通小孔を正確に検出できる。
【図面の簡単な説明】
【図１】本発明の一実施形態であるコントローラのスイッチ機構を示し、（ａ）はその概略斜視図、（ｂ）はそのホイールの保持状態を示す概略側面図である。
【図２】同スイッチ機構を備えた携帯電話機の斜視図である。
【図３】同スイッチ機構における光検出器によるホイールの周囲の貫通小孔の検出状態を示し、（ａ）はそのホイールの貫通小孔部分を展開して光検出器による貫通小孔の検出間隔を示す説明図、（ｂ）はホイールを一方側に回転したときの光検出器による貫通小孔の検出状態を示す説明図、（ｃ）はホイールを他方側に回転したときの光検出器による貫通小孔の検出状態を示す説明図である。
【図４】同スイッチ機構におけるホイールの貫通小孔と光検出器の配置状態を示す要部の拡大側面図である。
【図５】別例のコントローラのスイッチ機構を示す概略正面図である。
【図６】従来のゲーム機などに使用するコントローラを示し、（ａ）はその平面図、（ｂ）はそのコントローラを縦方向側面から見たときの傾動操作部とその周辺部分の内部構造を示した部分破断断面図、（ｃ）はそのコントローラを横方向側面から見たときの傾動操作部とその周辺部分の内部構造を示した部分破断断面図である。
【符号の説明】
１　　インクカートリッジ
１　　携帯電話機
１Ｂ　　下側電話機本体
１ｃ　　コントローラ操作部分
１ｄ　　開口部
２，３　　保持板体
２ａ，３ａ　　開口溝
４，５　　スプリング
６　　長軸体
７　　ホイール
７ａ　　貫通小孔
８　　二股状腕部
９　　水平板
１０　　山状突出部
１０ａ，１０ｂ　　傾斜面
１１，１２　　タクトスイッチ
１３　　光検出器
１４　　板状部
ｄ　　光検出器の取付け間隔
Ｄ　　貫通小孔の間隔
【図１】
2004039590.tif 000003
【図２】
2004039590.tif 000004
【図３】
2004039590.tif 000005
【図４】
2004039590.tif 000006
【図５】
2004039590.tif 000007
【図６】
2004039590.tif 000008